(57)【要約】【課題】ブラシ部が湾曲していながらもマスカラを塗布する際にマスカラがダマにならず上手く塗布できる塗布具を提供すること。【解決手段】複数の針状突起を有するブラシ部と、このブラシ部を取り付けた支持棒とを備える塗布具であって、前記ブラシ部は、その先端がほぼ前記支持棒の想定軸線上に位置するよう弓なりに湾曲した形状であり、前記複数の針状突起は前記支持棒の想定軸線と垂直方向に平行かつ放射状に配置され、前記放射状に配置された針状突起のうち、弓なりに湾曲した前記ブラシ部の凸部側には相対的に長い針状突起が設けられ、弓なりに湾曲した凹部側には相対的に短い針状突起が設けられてなることを特徴とする塗布具。【選択図】図１
2006271477.tif 000002
【特許請求の範囲】
【請求項１】
複数の針状突起を有するブラシ部と、このブラシ部を取り付けた支持棒とを備える塗布具であって、前記ブラシ部は、その先端がほぼ前記支持棒の想定軸線上に位置するよう弓なりに湾曲した形状であり、前記複数の針状突起は前記支持棒の想定軸線と垂直方向に平行かつ放射状に配置され、前記放射状に配置された針状突起のうち、弓なりに湾曲した前記ブラシ部の凸部側には相対的に長い針状突起が設けられ、弓なりに湾曲した凹部側には相対的に短い針状突起が設けられてなることを特徴とする塗布具。
【請求項２】
ブラシ部が、針状突起を有する塗布域と、この塗布域に連なり支持棒の先端部を連結する連結域とから構成され、前記支持棒は、前記ブラシ部を形成する樹脂よりも表面硬度（ＡＳＴＭ（アメリカ材料試験協会規格）Ｄ２２４０）の高い材料により形成され、かつ、前記ブラシ部は、エステル系熱可塑性エラストマの射出成形により形成される請求項第１項記載の塗布具。
【請求項３】
ブラシ部を形成する樹脂の表面硬度が５０〜７５（ＡＳＴＭ  Ｄ２２４０）の範囲内にある請求項第２項記載の塗布具。
【請求項４】
ブラシ部を形成するエステル系熱可塑性エラストマが、ポリエステル系熱可塑性エラストマである請求項第２項または第３項記載の塗布具。
【請求項５】
支持棒を形成する材料が樹脂である請求項第１項ないし第４項の何れかの項記載の塗布具。
【請求項６】
塗布域における長針状突起の長さが、ブラシ部の中央域より両側域において短くしてなる請求項第１項ないし第５項の何れかの項記載の塗布具。
【発明の詳細な説明】
【技術分野】
【０００１】
本発明は、マスカラ等の化粧品を睫毛に塗布するための塗布具に関し、更に詳細には、複数の針状突起を有し、かつ湾曲したブラシ部を有する塗布具に関するものである。
【背景技術】
【０００２】
マスカラなどの化粧品を睫毛に塗布するための塗布具は、従来、ナイロン等の弾性のある繊維をブラシ毛とし、これをワイヤで巻いてブラシ部を構成していたが、ブラシの硬さや形状などの制約が多く、塗布する化粧料によっては、その使い勝手が悪いという不都合があった。
【０００３】
また特に、ブラシ部が弓なり等に湾曲している塗布具の場合には、凹側のブラシの毛が密となり、逆に凸側のブラシの毛は粗となるため、マスカラがダマになり、上手く塗布できないということがあった（特許文献１）。
【０００４】
【特許文献１】特開２００１−２８６３４０号公報
【発明の開示】
【発明が解決しようとする課題】
【０００５】
従って本発明は、塗布部が湾曲していながらもマスカラを塗布する際にマスカラがダマにならず上手く塗布できる塗布具を提供することを課題とするものである。
【課題を解決するための手段】
【０００６】
本発明者らは、上記課題を解決するために鋭意研究を行った結果、従来のブラシでは、ブラシ毛を構成する繊維が放射状に突出し、弓なりに湾曲したブラシ部の凹部において、ブラシ毛が密になるという問題は解決困難であるとの結論に達した。そこで、更に検討を行った結果、ブラシ毛として、一方向にのびる針状突起を利用し、これを特定の位置に設けることにより、マスカラのダマの問題や塗りにくさの問題を全て解決できることを見出し、本発明を完成した。
【０００７】
すなわち、本発明は複数の針状突起を有するブラシ部と、このブラシ部を取り付けた支持棒とを備える塗布具であって、前記ブラシ部は、その先端がほぼ前記支持棒の想定軸線上に位置するよう弓なりに湾曲した形状であり、前記複数の針状突起は前記支持棒の想定軸線と垂直方向に平行かつ放射状に配置され、前記放射状に配置された針状突起のうち、弓なりに湾曲した前記ブラシ部の凸部側には相対的に長い針状突起が設けられ、弓なりに湾曲した凹部側には相対的に短い針状突起が設けられてなることを特徴とする塗布具である。
【発明の効果】
【０００８】
本発明の塗布具は、ブラシ部を弓なりに湾曲させ、複数の針状突起を支持棒の想定軸線と垂直方向に平行に、放射状に配置させ、かつ、放射状に配置された針状突起のうち、ブラシ部湾曲の凸部側には相対的に長い針状突起を設けたので、睫毛等への塗布がしやすいとともに、多量の内容物を保持する効果に高く、睫毛を太く見せるボリューム効果に特に優れている。
【０００９】
また、湾曲したブラシ部の凹部側は相対的に短い針状突起を設けたので、相対的に長い針状突起で塗布した化粧料をこの部分で効率よく整えることが可能となり、ダマづき、かたまりづきをなくすことができ、睫毛を長く見せるロング効果を秦することができる。
【００１０】
さらに、ブラシ部の相対的に長い針状突起と相対的に短い針状突起とに境目を設ければ、その境目の相対的に長い針状突起を利用して、睫毛を引っ掛けることにより、睫毛を持ち上げてカールさせることができる。
【００１１】
従って、本発明の塗布具は優れた塗り心地や使い勝手を有するものであり、一本で、マスカラ等の化粧料を、優れたボリューム効果、ロング効果、カール効果を与えつつ睫毛に塗布可能とするものである。
【発明を実施するための最良の形態】
【００１２】
以下、本発明の１態様について、これを示す図面を参照しつつ本発明を更に詳しく説明する。
【００１３】
図１は、本発明の１態様である塗布具の一部切欠断面図であり、図２、図３および図４はそれぞれ、図１を９０°回転した位置からの側面図、そのＡ−Ａ’断面図およびＢ−Ｂ’断面図である。図中、１０は塗布具、１１はブラシ部、１２は支持棒、２１は針状突起をそれぞれ示す。
【００１４】
図１に示す如く、ブラシ部１１は、その先端がほぼ支持棒１２の想定軸線上（支持棒の軸を延長した線上）に位置するように湾曲している。この湾曲の大きさは特に制約されるものではないが、曲率半径にして２０〜５０ｍｍ程度、好ましくは３０〜４０ｍｍの円弧の形状である。
【００１５】
また、ブラシ部１１は、針状突起を配列する塗布域２１ａと、この塗布域２１ａに連なり支持棒１２の先端部１２ａを連結する連結域２１ｂとを設けてなることが好ましい。また、塗布域２１ａは長針状突起２１ｐ、短針状突起２１ｎを設けてなる。
【００１６】
これら針状突起は、支持棒の想定軸線と垂直方向に、平行かつ放射状に配置される。また、放射状に配置された針状突起のうち、ブラシ部１１の弓なりに湾曲した部分の凸部側（外側）の領域（図３および図４の角度θに含まれる領域）には、相対的に長い針状突起（以下、「長針状突起」という）２１ｐが設けられ、湾曲の凹部側（内側）には、相対的に短い針状突起（以下、「短針状突起」という）２１ｎが設けられる。この角度θは適宜定められるが、１２０〜２４０°とすることが好ましく、特に１６０〜２００°とすることが好ましい。
【００１７】
長針状突起２１ｐの長さは１.５〜４ｍｍが好ましく、短針状突起２１ｎの長さは０.５ｍｍより大きいものが好ましい。特に、これら針状突起のブラシ部の中央域Ｌ２における長針状突起２１ｐと短針状突起の長さの比は１.５〜４が好ましく、特に２〜３が好ましい。ここでブラシ部の中央域とは図１のＬ２で示す部位であり、塗布域２１ａの長さの７割以上であることが好ましい。
【００１８】
上記の長針状突起２１ｐおよび短針状突起２１ｎは塗布域２１ａにおいて一様の長さを有していても良いが、図１や図６に示す如く、塗布域２１ａにおける長針状突起２１ｐの長さを、中央域Ｌ２は一様にし、かつ、その中央域の両端から両側域Ｌ１、Ｌ３において短くしてなるよう構成することにより、塗布域の根元（特に屈曲領域）や先端領域に内容物が溜まりにくくしており、液垂れや軸汚れを防止することができるので好ましい。
【００１９】
更に、塗布域２１ａと支持棒１２の先端部１２ａとの間に緩衝域２１ｃを設け、これを長針状突起２１ｐの湾曲の突出方向と逆向きに屈折させることが好ましい。この緩衝域２１ｃがあることにより、睫毛等への当たりがよくなり、安全かつ奇麗に塗布することができる。
【００２０】
本発明の塗布具１０において、そのブラシ部１１の材質は特に限定されないが、耐油性、耐薬品性および耐久性に優れていることからエステル系熱可塑性エラストマが好ましく、更には、その表面硬度が５０〜７５（ＡＳＴＭ（アメリカ材料試験協会規格）Ｄ２２４０）の範囲内のエステル系熱可塑性エラストマ、特に表面硬度が５５〜７０の範囲内のポリエステル系熱可塑性エラストマ（例えば東洋紡「ペルプレン」を使用）が好ましい。このような材質で、塗布具１０を調製する場合の具体例としては、上記材質のものをブラシ部１１の形状の金型に射出し、これをあらかじめセットしてあった支持棒１２の先端部１２ａと融着させ、針状突起を配列する塗布域２１ａと、この塗布域２１ａに連なり支持棒１２の先端部１２ａを連結する連結域２１ｂとを一体に設ける方法が挙げられる。
【００２１】
なお、支持棒１２はブラシ部１１のエステル系熱可塑性エラストマよりも上記表面硬度の高い材料が好ましく、例えば、ポリエチレン、ポリプロピレン等のポリオレフィン；ナイロン等のポリアミド；ポリエチレンテレフタレート（ＰＥＴ）、ポリブチレンテレフタレート等のポリエステル；ポリオキシメチレン（ＰＯＭ）、ポリカーボネート等の樹脂や金属が挙げられる。これらの材料の中でも特に樹脂が好ましく、とりわけ、ポリオキシメチレンが好ましい。
【００２２】
上記の好ましい構成をとれば、表面硬度が５０〜７５の範囲内のエステル系熱可塑性エラストマを射出して、針状突起を配列する塗布域２１ａと、この塗布域２１ａに連なり支持棒１２の先端部１２ａを連結する連結域２１ｂとを設けられるので、ブラシ部１１の塗布域２１ａおよび針状突起２１に適度な硬さを付与することができる。
【００２３】
また、ブラシ部１１を、支持棒１２の先端部１２ａを連結する連結域２１ｂと針状突起を配列する塗布域２１ａとに分けたことにより、塗布域２１ａと支持棒１２の先端部１２ａとの間が緩衝域２１ｃとなるため、睫毛などへの当たりがよくなって安全かつ奇麗に塗布できる。加えて、支持棒１２を前記エステル系熱可塑性エラストマよりも硬度の高い樹脂とすれば、操作性に優れて使い勝手がよくなる。なお、表面硬度が５０を下回るエステル系熱可塑性エラストマの場合は成形しづらいことがあり、仮に成形できた場合でもブラシ自体が柔らかくなりすぎてしまうことがあるので好ましくない。また、表面硬度が７５を上回るエステル系熱可塑性エラストマを用いた場合にはブラシが硬くなり過ぎて使用勝手が悪くなってしまうことがある。
【００２４】
以上の説明において、ブラシ部と支持棒との連結には、作業性や製品コストの面から、支持棒の先端部にエステル系熱可塑性エラストマを射出してブラシ部を一体に成形する所謂インサート成形を例に挙げたが、当業者によれば、本発明の塗布具の製造に当たり様々な変更を加えることができることはいうまでもない。
【００２５】
例えば、ブラシ部１１を単体で射出成形したのち、接着などで支持棒１２に連結してもよい。また、ブラシ部１１と支持棒１２との連結は、支持棒１２の先端に凹部を設け、その内部にエステル系熱可塑性エラストマを射出してブラシ部１１を一体に成形しても良いし、ブラシ部１１の連結域２１ｂに凸部を嵌合させてもよい。さらに、ブラシ部１１を成形するエステル系熱可塑性エラストマも、好ましくはその表面硬度が５０〜７５を満たす範囲内のものであれば、内容物に応じて適宜選択することができる。支持棒１２も同様に、好ましくはその表面硬度が５０〜７５の範囲内のエステル系熱可塑性エラストマよりも硬度の高い樹脂であれば種々のものを利用可能である。
【００２６】
図５、６はそれぞれ、本発明に係る塗布具１０を収納するマスカラ容器の一態様の外観図およびその一部切欠断面図である。
【００２７】
この態様のマスカラ容器１は、マスカラ液などの水性或いは油性の揮発性化合物を含む内容物を充填するボトル２と、このボトル２の口部２ａに取り付けられるスクリューキャップ３を含み、このキャップ３に本発明に係る塗布具１０が一体に設けられている。塗布具１０は、前記したように、複数の針状突起２１を有し、弓なりに湾曲するブラシ部１１と、このブラシ部１１を支持する支持棒１２とを備え、この支持棒１２の後端部１２ｂがキャップ３に内部嵌合している。なお、ボトル２の口部２ａには扱き部材４が取り付けられており、この扱き部材４は、ブラシ部１１及び支持棒１２に付着した余分な内容物を取り除くための扱き４ａを一体に備える。
【産業上の利用可能性】
【００２８】
本発明の塗布具１０は、ブラシ部１１をその先端が支持棒１２の想定軸線上に位置するよう弓なりに湾曲させて設けたので、塗布がしやすいとともに、多量の内容物を保持する効果に高く、ボリューム効果に特に優れている。更に、長針状突起２１ｐの反対側には短針状突起２１ｎを設けたので、長針状突起２１ｐで塗布した内容物を短針状突起２１ｎで効率よく整えることができ、ダマづき、かたまりづきをなくすことができ、ロング効果を秦することができる。また更に、長針状突起２１ｐと短針状突起２１ｎとに境目を設けると（図５参照）、その境目の長針状突起２１ｐを利用して、睫毛を引っ掛けることにより、睫毛を持ち上げてカールさせることができる。
【００２９】
以上の特徴を有する本発明の塗布具は、水性の化粧料や揮発性油剤を含む油性の化粧料など何れのものに対しても使用することが可能であり、特段の限定は存在しないが、特に樹脂が膨潤しやすい揮発性油剤を含有する油性の化粧料、例えばマスカラなどの塗布に用いる場合、その特性を顕著に発揮することが可能である。
【図面の簡単な説明】
【００３０】
【図１】本発明塗布具の１態様を示す一部切欠断面図である。
【図２】同塗布具の図１から９０°回転した方向での一部切欠断面図である。
【図３】図１のＡ−Ａ’断面図である。
【図４】図１のＢ−Ｂ’断面図である。
【図５】本発明の一態様である塗布具を備えるマスカラ容器の外観図ある。
【図６】同態様のマスカラ容器の一部切欠断面図である。
【符号の説明】
【００３１】
１  マスカラ容器
２  ボトル
３  スクリューキャップ
４  扱き部材
４ａ  扱き
１０  塗布具
１１  ブラシ部
１２  支持棒
２０  塗布具
２１  針状突起
２１ａ  塗布域
２１ｂ  連結域
２１ｃ  緩衝域
２１ｐ  長針状突起
２１ｎ  短針状突起
Ｌ１、Ｌ３  両側域
Ｌ２  中央域
θ  長針状突起領域の角度
【図１】
2006271477.tif 000003
【図２】
2006271477.tif 000004
【図３】
2006271477.tif 000005
【図４】
2006271477.tif 000006
【図５】
2006271477.tif 000007
【図６】
2006271477.tif 000008